(57)【特許請求の範囲】
【請求項１】
ネットワーク上のコンテンツをダウンロードするダウンロード手段と、
前記ダウンロードされた第１のコンテンツの画像を記録媒体に形成する画像形成手段と、
前記画像形成手段により前記第１のコンテンツの画像が形成されたことを示す履歴を記憶する履歴記憶手段と、
前記第１のコンテンツにリンクされた第２のコンテンツを前記第１のコンテンツと関連付けて記憶するコンテンツ記憶手段と、
前記第２のコンテンツは、動画像または／および音声を含み、
前記履歴記憶手段により記憶された履歴の指示を受け付ける指示受付手段と、
前記受け付けられた指示で特定される履歴で特定される前記第１のコンテンツと関連付けられた前記第２のコンテンツを再生する再生手段と、を備えた画像形成装置。
【請求項２】
前記コンテンツ記憶手段は、前記第１のコンテンツがダウンロードされてから画像が形成されるまでの間に、前記第１のコンテンツにリンクされた前記第２のコンテンツを再生する指示が受け付けられることを条件に、前記第２のコンテンツを記憶する、請求項１に記載の画像形成装置。
【請求項３】
ネットワーク上のコンテンツをダウンロードするステップと、
前記ダウンロードされた第１のコンテンツの画像を記録媒体に形成するステップと、
前記画像を形成するステップにより前記第１のコンテンツの画像が形成されたことを示す履歴を記憶するステップと、
前記第１のコンテンツにリンクされた第２のコンテンツを前記第１のコンテンツの画像を形成したことを示す履歴と関連付けて記憶するステップと、
前記第２のコンテンツは、動画像または／および音声を含み、
前記記憶された履歴の指示を受け付けるステップと、
前記受け付けられた指示で特定される履歴で特定される前記第１のコンテンツと関連付けられた前記第２のコンテンツを再生するステップと、を含むコンテンツ管理方法。
【請求項４】
ネットワーク上のコンテンツをダウンロードするステップと、
前記ダウンロードされた第１のコンテンツの画像を記録媒体に形成するステップと、
前記画像を形成するステップにより前記第１のコンテンツの画像が形成されたことを示す履歴を記憶するステップと、
前記第１のコンテンツにリンクされた第２のコンテンツを前記第１のコンテンツの画像を形成したことを示す履歴と関連付けて記憶するステップと、
前記第２のコンテンツは、動画像または／および音声を含み、
前記記憶された履歴の指示を受け付けるステップと、
前記受け付けられた指示で特定される履歴で特定される前記第１のコンテンツと関連付けられた前記第２のコンテンツを再生するステップと、をコンピュータに実行させるコンテンツ管理プログラム。
【発明の詳細な説明】
【技術分野】
【０００１】
この発明は、画像形成装置、コンテンツ管理方法およびコンテンツ管理プログラムに関し、特にネットワークを介してデータをダウンロードする画像形成装置、その画像形成装置で実行されるコンテンツ管理方法およびコンテンツ管理プログラム。
【背景技術】
【０００２】
近年、スキャナ装置、プリンタ装置、コピー装置およびファクシミリ装置の機能を備えたＭＦＰ（Ｍｕｌｔｉ  Ｆｕｎｃｔｉｏｎ  Ｐｅｒｉｐｈｅｒａｌ）と呼ばれる複合機は、ネットワークに接続して使用されることが多い。また、ＭＦＰにブラウジング機能を有したものがあり、ＭＦＰをインターネットに接続し、ウェブ（Ｗｅｂ）サーバ等からＷｅｂページをダウンロードすることができる。特開２００６−４３９６２号公報には、ブラウザからの印刷時に、Ｗｅｂコンテンツの保存先を示すＵＲＬ（Ｕｎｉｆｏｒｍ  Ｒｅｓｏｕｒｃｅ  Ｌｏｃａｔｏｒ）を処理履歴に関連付けて記憶しておき、処理履歴から再印刷する履歴を選択することにより、関連付けられたＵＲＬを元に、Ｗｅｂコンテンツのデータを再取得して印刷する画像処理装置が記載されている。
【０００３】
しかしながら、Ｗｅｂコンテンツが記憶されているＷｅｂサーバにおいては、Ｗｅｂコンテンツが変更される場合があり、この場合ＵＲＬが同じであっても、Ｗｅｂコンテンツが変更後にダウンロードされると、コンテンツ自体が異なる場合がある。このため、従来の技術によっては、再印刷して印刷される画像と、先に印刷された画像とが異なる場合があるといった問題がある。
【特許文献１】特開２００６−４３９６２号公報
【発明の開示】
【発明が解決しようとする課題】
【０００４】
この発明は上述した問題点を解決するためになされたもので、この発明の目的の一つは、画像が形成されたコンテンツにリンクされていた動画像または／および音声を再生することが可能な画像形成装置を提供することである。
【０００５】
この発明の他の目的は、画像が形成されたコンテンツにリンクされていた動画像または／および音声を再生することが可能なコンテンツ管理方法を提供することである。
【０００６】
この発明の他の目的は、画像が形成されたコンテンツにリンクされていた動画像または／および音声を再生することが可能なコンテンツ管理プログラムを提供することである。
【課題を解決するための手段】
【０００７】
上述した目的を達成するために、この発明のある局面によれば、画像形成装置は、ネットワーク上のコンテンツをダウンロードするダウンロード手段と、ダウンロードされた第１のコンテンツの画像を記録媒体に形成する画像形成手段と、画像形成手段により第１のコンテンツの画像が形成されたことを示す履歴を記憶する履歴記憶手段と、第１のコンテンツにリンクされた第２のコンテンツを第１のコンテンツと関連付けて記憶するコンテンツ記憶手段と、第２のコンテンツは、動画像または／および音声を含み、履歴記憶手段により記憶された履歴の指示を受け付ける指示受付手段と、受け付けられた指示で特定される履歴で特定される第１のコンテンツと関連付けられた第２のコンテンツを再生する再生手段と、を備える。
【０００８】
この局面に従えば、ダウンロードされた第１のコンテンツの画像が記録媒体に形成されると、画像が形成されたことを示す履歴が記憶され、第１のコンテンツにリンクされた動画像または／および音声が履歴と関連付けて記憶される。そして、記憶された履歴の指示が受け付けられると、指示で特定される履歴で特定される第１のコンテンツに関連付けられた動画像または／および音声が再生される。このため、第１のコンテンツの画像が記録媒体に形成されると、その第１のコンテンツにリンクされた動画像または／および音声が第１のコンテンツと関連付けて記憶されるので、第１のコンテンツの画像を形成した時点にそれにリンクされていた動画像または／および音声を記憶することができる。その結果、画像が形成されたコンテンツにリンクされていた動画像または／および音声を再生することが可能な画像形成装置を提供することができる。
【０００９】
好ましくは、コンテンツ記憶手段は、前記第１のコンテンツがダウンロードされてから画像が形成されるまでの間に、第１のコンテンツにリンクされた第２のコンテンツを再生する指示が受け付けられることを条件に、第２のコンテンツを記憶する。
【００１０】
この局面に従えば、第１のコンテンツをダウンロードしてから画像が形成されるまでの間に再生された第２のコンテンツが記憶されるので、第１のコンテンツにリンクされていた第２のコンテンツを再び再生することができる。
【００１１】
この発明の他の局面によれば、コンテンツ管理方法は、ネットワーク上のコンテンツをダウンロードするステップと、ダウンロードされた第１のコンテンツの画像を記録媒体に形成するステップと、画像を形成するステップにより第１のコンテンツの画像が形成されたことを示す履歴を記憶するステップと、第１のコンテンツにリンクされた第２のコンテンツを第１のコンテンツの画像を形成したことを示す履歴と関連付けて記憶するステップと、第２のコンテンツは、動画像または／および音声を含み、記憶された履歴の指示を受け付けるステップと、受け付けられた指示で特定される履歴で特定される第１のコンテンツと関連付けられた第２のコンテンツを再生するステップと、を含む。
【００１２】
この局面に従えば、画像が形成されたコンテンツにリンクされていた動画像または／および音声を再生することが可能なコンテンツ管理方法を提供することができる。
【００１３】
この発明のさらに他の局面によれば、コンテンツ管理プログラムは、ネットワーク上のコンテンツをダウンロードするステップと、ダウンロードされた第１のコンテンツの画像を記録媒体に形成するステップと、画像を形成するステップにより第１のコンテンツの画像が形成されたことを示す履歴を記憶するステップと、第１のコンテンツにリンクされた第２のコンテンツを第１のコンテンツの画像を形成したことを示す履歴と関連付けて記憶するステップと、第２のコンテンツは、動画像または／および音声を含み、記憶された履歴の指示を受け付けるステップと、受け付けられた指示で特定される履歴で特定される第１のコンテンツと関連付けられた第２のコンテンツを再生するステップと、をコンピュータに実行させる。
【００１４】
この局面に従えば、画像が形成されたコンテンツにリンクされていた動画像または／および音声を再生することが可能なコンテンツ管理プログラムを提供することができる。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
図１は、本発明の実施の形態における情報処理システムの全体概要を示す図である。図１を参照して、情報処理システム１は、ネットワーク２にそれぞれ接続された複合機（以下、「ＭＦＰ」という）１００，１００Ａ，１００Ｂ，１００Ｃを含む。ＭＦＰ１００，１００Ａ，１００Ｂおよび１００Ｃは、画像形成装置の一例であり、スキャナ機能、プリンタ機能、コピー機能、ファクシミリ機能等の複数の機能を備える。
【００１７】
ネットワーク２は、ローカルエリアネットワーク（ＬＡＮ）であり、接続形態は有線または無線を問わない。また、ネットワーク２は、ＬＡＮに限らず、ワイドエリアネットワーク（ＷＡＮ）、公衆交換電話網（ＰＳＴＮ）等であってもよい。ネットワーク２は、ゲートウェイを介してインターネット３に接続されており、ＭＦＰ１００，１００Ａ，１００Ｂ，１００Ｃそれぞれは、インターネット３に接続されたＷｅｂサーバ７，７Ａと通信可能である。
【００１８】
ＭＦＰ１００，１００Ａ，１００Ｂ，１００Ｃは、ブラウジングプログラムを実行可能であり、ブラウザ機能を有する。例えば、ＭＦＰ１００は、ユーザによりＷｅｂサーバ７が記憶するウェブ（Ｗｅｂ）ページのＵＲＬが指定されると、Ｗｅｂサーバ７にＵＲＬで特定されるＷｅｂページの送信を要求し、Ｗｅｂサーバ７が送信するＷｅｂページを受信し、表示する。以下、ＭＦＰ１００，１００Ａ，１００Ｂ，１００ＣがＷｅｂベージをダウンロードして、表示する処理をブラウジング処理という。
【００１９】
なお、本実施の形態においては画像形成装置の一例としてＭＦＰ１００，１００Ａ，１００Ｂ，１００Ｃを例に説明するが、ＭＦＰ１００，１００Ａ，１００Ｂ，１００Ｃに代えて、ブラウザ機能を備えた装置であれば、たとえば、パーソナルコンピュータ、スキャナ、プリンタ、ファクシミリ等であってもよい。なお、ＭＦＰ１００，１００Ａ，１００Ｂ，１００Ｃ各々が有する機能は同じである。ここではＭＦＰ１００を例に説明する。
【００２０】
図２は、ＭＦＰの外観を示す斜視図である。図２を参照して、ＭＦＰ１００は、自動原稿搬送装置（ＡＤＦ）１０と、画像読取部２０と、画像形成部３０と、給紙部４０と、を含む。
【００２１】
ＡＤＦ１０は、原稿給紙トレイ１１上にセットされた複数枚の原稿を１枚ずつ自動的に画像読取部２０のプラテンガラス上に設定された所定の原稿読み取り位置まで搬送し、画像読取部２０により原稿画像が読み取られた原稿を原稿排紙トレイ上に排出する。画像読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像形成部３０に出力する。給紙部４０は、給紙トレイに収納された用紙を画像形成部３０に搬送する。
【００２２】
画像形成部３０は、周知の電子写真方式により画像を形成するものであって、画像読取部２０から入力される画像データにシェーディング補正などの各種のデータ処理を施し、データ処理後の画像データに基づいて、給紙部４０により搬送される用紙に画像を形成する。
【００２３】
図３は、ＭＦＰの回路構成の一例を示すブロック図である。図３を参照して、ＭＦＰ１００は、メイン回路１０１と、ファクシミリ部１２２と、通信制御部１２３と、を含む。メイン回路１０１は、ＣＰＵ１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのフラッシュメモリ１１３と、表示部１１４と、操作部１１５と、大容量記憶装置としてのハードディスクドライブ（ＨＤＤ）１１６と、データ通信制御部１１７と、音を出力するスピーカ１２０と、を含む。
【００２４】
ＣＰＵ１１１は、フラッシュメモリ１１３に記憶されたプログラムを実行して、機能を実行する。フラッシュメモリ１１３は、ＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。
【００２５】
ＣＰＵ１１１は、表示部１１４、操作部１１５、ＨＤＤ１１６およびデータ通信制御部１１７と、それぞれ接続され、メイン回路１０１の全体を制御する。また、ＣＰＵ１１１は、ファクシミリ部１２２、通信制御部１２３、ＡＤＦ１０、画像読取部２０、画像形成部３０、給紙部４０と接続され、ＭＦＰ１００の全体を制御する。
【００２６】
表示部１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルを含む。表示部１１４と、操作部１１５とで、ＭＦＰ１００の上面に設けられる操作パネル９が構成される。
【００２７】
データ通信制御部１１７は、ＴＣＰ（Ｔｒａｎｓｍｉｓｓｉｏｎ  Ｃｏｎｔｒｏｌ  Ｐｒｏｔｏｃｏｌ）またはＵＤＰ（Ｕｓｅｒ  Ｄａｔａｇｒａｍ  Ｐｒｏｔｏｃｏｌ）等の通信プロトコルで通信するためのインターフェースであるＬＡＮ端子１１８と、シリアル通信のためのシリアル通信インターフェース端子１１９とを有する。データ通信制御部１１７は、ＣＰＵ１１１からの指示に従って、ＬＡＮ端子１１８またはシリアル通信インターフェース端子１１９に接続された外部の機器との間でデータを送受信する。
【００２８】
ＬＡＮ端子１１８に、ネットワーク２に接続するためのＬＡＮケーブルが接続される場合、データ通信制御部１１７は、ＬＡＮ端子１１８を介して接続された他のＭＦＰ１００Ａ，１００Ｂ，１００Ｃと通信する。さらに、データ通信制御部１１７は、インターネット３に接続されたＷｅｂサーバ７，７Ａと通信する。
【００２９】
ＣＰＵ１１１は、データ通信制御部１１７を制御して、ネットワーク２またはインターネット３に接続されたコンピュータからプログラムをダウンロードし、フラッシュメモリ１１３に記憶することにより、プログラムを更新することが可能である。プログラムは、後述するコンテンツ管理プログラムを含む。
【００３０】
シリアル通信インターフェース端子１１９には、フラッシュメモリを内蔵したメモリカード１１９Ａが接続可能である。ＣＰＵ１１１は、データ通信制御部１１７を制御して、メモリカード１１９ＡからＣＰＵ１１１が実行するためのプログラムを読出し、フラッシュメモリ１１３に記憶することにより、プログラムを更新することが可能である。
【００３１】
なお、ＣＰＵ１１１が実行するためのプログラムを記憶する記録媒体としては、メモリカード１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭなどの半導体メモリ等の媒体でもよい。
【００３２】
さらに、ＣＰＵ１１１がネットワーク２に接続されたコンピュータからプログラムをダウンロードしてフラッシュメモリ１１３に記憶する、または、ネットワーク２に接続されたコンピュータがプログラムをフラッシュメモリ１１３に書込みするようにして、フラッシュメモリ１１３に記憶されたプログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００３３】
通信制御部１２３は、ＣＰＵ１１１を公衆交換電話網（ＰＳＴＮ）７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に発呼があると、通信制御部１２３がその発呼を検出する。通信制御部１２３は、発呼を検出すると通話を確立し、ファクシミリ部１２２に通信させる。
【００３４】
ファクシミリ部１２２は、ＰＳＴＮ７に接続され、ＰＳＴＮ７にファクシミリデータを送信する、またはＰＳＴＮ７からファクシミリデータを受信する。スピーカ１２０は、ＭＦＰ１００の前面に設けられ、ＣＰＵ１１１に制御されて音を出力する。
【００３５】
図４は、操作パネルの一例を示す平面図である。図４を参照して、操作パネル９は、表示部１１４と、操作部１１５とを含む。操作部１１５は、テンキー１１５Ａと、スタートキー１１５Ｂと、入力内容をキャンセルするためのクリアキー１１５Ｃと、コピー処理を実行するためのコピーモードにＭＦＰ１００を遷移させるためのコピーキー１１５Ｄと、スキャン処理を実行するためのスキャンモードにＭＦＰ１００を遷移させるためのスキャンキー１１５Ｅと、ジョブ履歴を表示させるためのジョブ履歴キー１１５Ｆと、ブラウジング処理を実行するためのブラウジングモードにＭＦＰ１００を遷移させるためのブラウザキー１１５Ｇと、を含む。
【００３６】
図５は、ＣＰＵの機能の一例を示す機能ブロック図である。図５を参照して、ＣＰＵ１１１は、Ｗｅｂサーバ７，７Ａからコンテンツをダウンロードするダウンロード部５１と、ダウンロードされたコンテンツの出力先を決定する出力制御部５３と、コンテンツを表示するための表示制御部５５と、コンテンツを音声出力するための音声制御部５７と、コンテンツの画像を形成するための画像形成制御部５９と、画像形成された履歴を管理するための履歴管理部６１と、ダウンロードされたコンテンツを記憶するコンテンツ記憶部６５と、記憶されたコンテンツを再生する再生部６３と、を含む。
【００３７】
ダウンロード部５１は、ＵＲＬを受け付け、受け付けられたＵＲＬで特定されるコンテンツをダウンロードする。操作部１１５のブラウザキー１１５Ｇが押下されると、ブラウジング処理の実行指示を受け付け、ユーザが操作部１１５に入力するＵＲＬを操作部１１５から受け付ける。たとえば、表示部１１４に英数文字のソフトウエアキーを表示し、操作部１１５のタッチパネルでソフトウエアキーの指示を検出することにより、ＵＲＬを受け付ける。さらに、ダウンロード部５１は、後述する表示制御部５５により表示されているＷｅｂページに含まれるＵＲＬが、ユーザにより指示されると、指示されたＵＲＬを受け付ける。ＵＲＬは、コンテンツにアクセスするためのアクセス情報であり、コンテンツのネットワーク上の位置を示す位置情報である。
【００３８】
ダウンロード部５１は、ＵＲＬが受け付けられると、入力されるＵＲＬで特定される装置にＵＲＬで特定されるコンテンツの送信を要求する。たとえば、ＵＲＬで特定される装置をＷｅｂサーバ７とすると、ダウンロード部５１は、Ｗｅｂサーバ７にＵＲＬで特定されるコンテンツの送信を要求するための要求信号を、データ通信制御部１１７を介して送信する。Ｗｅｂサーバ７は、コンテンツを記憶しており、要求信号を受信すると、その要求信号に含まれるＵＲＬで特定されるコンテンツを読み出し、要求信号を送信してきたＭＦＰ１００にコンテンツを返信する。コンテンツは、たとえば、ＨＴＭＬ（ＨｙｐｅｒＴｅｘｔ  Ｍａｒｋｕｐ  Ｌａｎｇｕａｇｅ）等のマークアップ言語で記述されるＷｅｂページ、ストリーミング配信される動画データまたは音声データを含む。動画データまたは音声データは、例えば、ＲＴＳＰ（Ｒｅａｌ  Ｔｉｍｅ  Ｓｔｒｅａｍｉｎｇ  Ｐｒｏｔｏｃｏｌ）のプロトコルで配信される。
【００３９】
ダウンロード部５１は、Ｗｅｂサーバ７が返信するコンテンツをデータ通信制御部１１７が受信すると、データ通信制御部１１７からコンテンツが入力され、コンテンツを出力制御部５３に出力する。
【００４０】
出力制御部５３は、ダウンロード部５１からコンテンツが入力される。出力制御部５３は、入力されるコンテンツにより出力先を決定し出てされた出力先にコンテンツを出力する。具体的には、出力制御部５３は、入力されるコンテンツが画像を含むＷｅｂページの場合、そのＷｅｂページを表示制御部５５および画像形成制御部５９に出力する。また、コンテンツが音声データの場合、音声データを音声制御部５７およびコンテンツ記憶部６５に出力する。また、コンテンツが動画データの場合、動画データを表示制御部５５およびコンテンツ記憶部６５に出力する。
【００４１】
表示制御部５５は、入力されるＷｅｂページまたは動画データの画像を表示部１１４に出力し、それらを表示部１１４に表示させる。表示制御部５５は、動画データの動画像を表示部１１０に出力する場合、その動画像を出力したことを示す信号を履歴管理部６１に出力する。音声制御部５７は、入力される音声データをスピーカ１２０に出力し、スピーカ１２０に音を発生させる。音声制御部５７は、音声データをスピーカ１２０に出力する場合、音声データを出力したことを示す信号を履歴管理部６１に出力する。
【００４２】
画像形成制御部５９は、ユーザが操作部１１５にプリント指示を入力すると、表示部１１４に表示されているＷｅｂページを画像形成部３０に出力し、画像形成部３０を制御して画像形成させる。画像形成制御部５９は、たとえばユーザが操作部１１５のスタートキー１１５Ｂを押下すると、プリント指示を検出する。また、画像形成制御部５９は、画像形成部３０に画像を形成させると、履歴管理部６１に画像を形成したことを示す信号を出力する。画像を形成したことを示す信号は、画像形成されたＷｅｂページに付された名称（ファイル名）、そのＷｅｂページが動画データまたは音声データに対するリンクを含む場合には、その動画データまたは音声データの名称を含む。
【００４３】
履歴管理部６１は、画像形成制御部５９から画像を形成したことを示す信号が入力されると、履歴データを生成し、生成した履歴データをＨＤＤ１１６の予め決められた位置に記憶する。これにより、ＨＤＤ１１６に履歴データ８１が記憶される。履歴データは、プリント指示を入力したユーザを識別するためユーザ識別情報、画像形成されたＷｅｂページに付された名称（ファイル名）、動画データまたは音声データを含む場合にはそれらの名称を含む。プリント指示を入力したユーザのユーザ識別情報は、ログインユーザーのユーザ識別情報であり、ユーザが操作部１１５に入力したユーザ識別情報である。画像形成されたＷｅｂページに付された名称および動画データまたは音声データの名称は、画像形成制御部５９から入力される画像形成したことを示す信号に含まれる。これにより、履歴データ８１から画像形成を指示したユーザを特定すること、画像形成されたＷｅｂページを特定すること、および、そのＷｅｂページが動画データまたは音声データとリンクされている場合には、その動画データまたは音声データを特定することができる。
【００４４】
履歴管理部６１は、さらに、ＨＤＤ１１６に記憶した履歴データ８１が、動画データまたは音声データの名称を含む場合、それらが表示制御部５５または音声制御部５７によりそれぞれ出力されたか否かを判断する。そして、履歴管理部６１は、履歴データ８１に含まれる動画データまたは音声データの名称に対応する動画データまたは音声データが出力されたか否かを含む印を履歴データ８１に追加する。これにより、履歴データ８１から動画データまたは音声データが出力されたか否かを判断することができる。
【００４５】
コンテンツ記憶部６５は、入力される動画データまたは音声データを、履歴データ８１と関連づけてＨＤＤ１１６に記憶する。これにより、ＨＤＤ１１６に、動画データ８３または音声データ８５が記憶される。履歴データ８１との関連付けは、履歴データ８１の動画データまたは音声データの名称と同じ名称で動画データまたは音声データを記憶することによりなされる。
【００４６】
履歴管理部６１は、ユーザが操作部１１５のジョブ履歴キー１１５Ｆを押下すると、ＨＤＤ１１６に記憶されてる履歴データ８１を読み出し、表示部１１４にその一覧を表示する。そして、ユーザが表示された履歴データの一覧のうちから１つを選択すると、選択された履歴データを再生部６３に出力する。
【００４７】
再生部６３は、履歴管理部６１から選択されたが履歴データが入力されると、その履歴データに含まれる動画データまたは音声データの名称で特定される動画データ８３または音声データ８５をＨＤＤ１１６から読み出す。そして、ユーザにより表示部１１４に表示されている動画データの名称または音声データの名称が選択されると、選択された名称で特定される動画データ８３または音声データ８５を出力する。具体的には、選択された名称が動画データの場合、その名称で特定される動画データ８３を表示制御部５５に出力し、選択された名称が音声データの場合、その名称で特定される音声データ８５を音声制御部５７に出力する。
【００４８】
図６は、Ｗｅｂページの一例を示す図である。図６を参照して、Ｗｅｂページ３００は、動画像を表示する領域３０１と、動画像の再生を制御する指示を入力するための領域３０２と、動画像を指定するための領域３０３，３０４と、動画の再生を制御するためのボタンを含む領域３０３と、別のＷｅｂページを指定するための領域３０５〜３０７と、Ｗｅｂページ３００の画像を形成した状態の画像の表示を指示するためのボタン３０９と、Ｗｅｂページ３００の画像の形成を指示するためのボタン３１１と、前に表示していたＷｅｂページの表示への切り換えを指示するためのボタン３１３と、を含む。
【００４９】
ユーザが領域３０３，３０４のいずれかを指示すれば、指示された領域に対応付けられた動画データがダウンロードされ、領域３０１に表示される。ここでは、領域３０３に対応付けられた動画データの名称は「製品説明動画」であり、領域３０４に対応付けられた動画データの名称は「製品セットアップ動画」である。また、指示された領域に音声データが対応付けられていれば、その音声データがダウンロードされ、スピーカー１２０から音が出力される。ここでは、領域３０３に対応付けられた動画データの名称は「製品説明動画」であり、領域３０４に対応付けられた動画データの名称は「製品セットアップ動画」である。例えば、ユーザが領域３０３を指示すれば、名称「製品説明動画」の動画データがダウンロードされ、領域３０１に表示される。また、領域３０５に対応付けられた別のＷｅｂページの名称は「製品カタログＡ」であり、領域３０６に対応付けられた別のＷｅｂページの名称は「機能仕様書Ａ」であり、領域３０７に対応付けられた別のＷｅｂページの名称は「制御仕様書Ｂ」である。例えば、ユーザが領域３０５を指示すれば、名称「製品カタログＡ」が付されたＷｅｂページがダウンロードされ、その時表示されている名称「製品情報」のＷｅｂページの表示に代えて、ダウンロードされた名称「製品カタログＡ」のＷｅｂページが表示部１１４に表示される。
【００５０】
動画データが領域３０１に表示されているとき、ユーザが領域３０２に含まれる、一時停止ボタン、再生指示ボタン、停止ボタンのいずれかを指示すれば、指示されたボタンに対応して動画像の再生が制御される。
【００５１】
ボタン３０９がユーザにより指示されると、その時表示部１１４に表示されているＷｅｂページ３００の表示に代えて、Ｗｅｂページ３００の画像を用紙に形成した様子を示す画像が表示部１１４に表示される。ボタン３１１がユーザにより指示されると、Ｗｅｂページ３００の画像が用紙に形成される。ボタン３１３が指示されると、Ｗｅｂページ３００を表示部１１４に表示する前に表示されていた別のＷｅｂページが表示部１１４に表示される。
【００５２】
図７は、履歴一覧画面の一例を示す図である。図７を参照して、履歴一覧画面３２０は、動画像を表示する領域３２１と、動画像の再生を制御する指示を入力するための領域３２２と、履歴データの一覧を表示する領域３３１と、動画像の再生を指示するためのボタン３３３と、Ｗｅｂページの画像形成を指示するためのボタン３３５と、履歴データの削除を指示するためのボタン３３７と、を含む。
【００５３】
領域３３１には、履歴データが選択可能に一覧表示される。領域３３１に表示された複数の履歴データのうち、ユーザが指示した履歴データが処理対象に設定される。履歴データは、ユーザ名称、ファイル名、ジョブ種類、動画・音声名称、閲覧有無の項目を含む。例えば、一覧表示されている履歴データのうち最上段のユーザ名称が「ＡＲＡＫＩ」の履歴データが指示されると、その履歴データが処理対象に設定される。ユーザ名称が「ＡＲＡＫＩ」の履歴データは、動画・音声名称の項目に、２つの動画データの名称を含む。ユーザが２つの動画データのいずれか１方指示すれば、指示された動画データが処理対象に設定される。
【００５４】
ユーザによりボタン３３３が指示されると、その時点で処理対象になっている動画データまたは／および音声データが出力される。動画データが処理対象になっている場合には、領域３２１に動画像が表示される。また、動画データが音声データを含む場合には、スピーカー１２０が音が出力される。ユーザによりボタン３３５が指示されると、その時点で処理対象になっている履歴データのファイル名の項目に設定されているファイル名で特定されるのＷｅｂページの画像が用紙に形成される。ユーザによりボタン３３７が指示されると、その時点で処理対象になっている履歴データが削除される。なお、履歴データだけでなく、履歴データのファイル名の項目に設定されているファイル名で特定されるＷｅｂページ、履歴データの動画・音声名称の項目に設定されているファイル名で特定される動画データまたは音声データを削除するようにしてもよい。
【００５５】
図８は、ブラウジング処理の流れの一例を示すフローチャートである。ブラウジング処理は、ＭＦＰ１００が備えるＣＰＵ１１１がコンテンツ管理プログラムを実行することにより、ＣＰＵ１１１により実行される処理である。図８を参照して、ＣＰＵ１１１は、ＵＲＬを受け付けたか否かを判断する（ステップＳ０１）。ユーザが操作部１１５を操作してＵＲＬを入力すると、操作部１１５に入力されるＵＲＬを受け付ける。ＵＲＬを受け付けるまで待機状態となり（ステップＳ０１でＮＯ）、ＵＲＬを受け付けるとを処理をステップＳ０２に進める。
【００５６】
ステップＳ０２においては、ステップＳ０１において受けつけられたＵＲＬで特定されるＷｅｂページをダウンロードする。そして、ダウンロードされたＷｅｂページを表示部１１４に表示する（ステップＳ０３）。これにより、例えば、図６に示したＷｅｂページ３００が表示部１１４に表示される。
【００５７】
ステップＳ０４においては、動画または音声の再生指示を受け付けたか否かを判断する。再生指示を受け付けたならば処理をステップＳ０５に進めるが、そうでなければ処理をステップＳ０８に進める。ステップＳ０５においては、再生が指示された動画または音声に対応する動画データまたは音声データをダウンロードする。そして、ダウンロードされた動画データまたは音声データを再生する（ステップＳ０６）。さらに、ダウンロードされた動画データまたは音声データをＨＤＤ１１６に一時的に記憶する（ステップＳ０７）。
【００５８】
ステップＳ０８においては、画像形成指示を受け付けたか否かを判断する。画像形成指示を受け付けたならば処理をステップＳ０９に進めるが、そうでなければ処理をステップＳ１２に進める。ステップＳ０９においては、ステップＳ０２においてダウンロードされたＷｅｂページの画像を用紙に形成する。そして次のステップＳ１０において履歴データを生成し、生成された履歴データをＨＤＤ１１６に記憶する。ここでの履歴データは、Ｗｅｂページのダウンロードを指示したユーザのユーザ識別情報と、ダウンロードされたＷｅｂページの名称（ファイル名）と、画像形成したことを示すジョブ種類と、を含む。
【００５９】
次のステップＳ１１においては、ステップＳ０７において一時記憶した動画データまたは音声データを、ステップＳ１０において記憶された履歴データと関連付ける。具体的には、一時記憶した動画データまたは音声データのファイル名を履歴データの動画・音声名称の項目に設定する。これにより、ＨＤＤ１１６に記憶されている履歴データ８１が更新される。
【００６０】
ステップＳ１２においては、ブラウジング終了指示を受け付けたか否かを判断する。ユーザが操作部１１５が備えるクリアキー１１５Ｃを押下すると、ブラウジング終了指示を受け付ける。ブラウジング終了指示を受け付けたならば処理を終了するが、そうでなければ処理をステップＳ１３に進める。ステップＳ１３においては、Ｗｅｂページの切換指示を受け付けたか否かを判断する。切換指示を受け付けたならば処理をステップＳ０１に戻すが、そうでなければ処理をステップＳ０４に戻す。
【００６１】
図９は、履歴管理処理の流れの一例を示すフローチャートである。履歴管理処理は、ＭＦＰ１００が備えるＣＰＵ１１１がコンテンツ管理プログラムを実行することにより、ＣＰＵ１１１により実行される処理である。また、履歴管理処理は、ユーザが操作部１１５の備えるジョブ履歴キー１１５Ｆを押下することにより実行される処理である。図９を参照して、ＣＰＵ１１１は、履歴一覧画面を表示部１１４に表示する（ステップＳ２１）。これにより、たとえば図７に示した履歴一覧画面３２０が表示部１１４に表示される。
【００６２】
以下の説明では図７に示した履歴一覧画面３２０が、表示部１１４に表示された場合を例に説明する。ステップＳ２２においては、履歴一覧画面３２０の領域３３１に表示された履歴データのうち１つの選択を受け付けたか否かを判断する。履歴データの選択を受け付けたならば処理をステップＳ２３に進めるが、そうでなければ処理をステップＳ２６に進める。ステップＳ２３においては、選択された履歴データが音声データまたは動画データと関連付けられているか否かを判断する。具体的には、選択された履歴データの動画・音声名称の項目に動画データまたは音声データのファイル名が設定されているか否かを判断する。動画データまたは音声データのファイル名が設定されていれば動画データまたは音声データが関連付けられているとを判断する。選択された履歴データに動画データまたは音声データが関連付けられていれば、処理をステップＳ２４に進めるが、そうでなければ処理をステップＳ２６に進める。
【００６３】
ステップＳ２４においては、再生指示を受け付けたか否かを判断する。具体的には、履歴一覧画面３２０のボタン３３３が押下されたか否かを判断する。ボタン３３３が押下されたならば再生指示を受け付けたと判断し、処理をステップＳ２５に進めるが、そうでなければ処理をステップＳ２６に進める。なお、ステップＳ２２において選択されたは履歴データが複数の動画データまたは音声データと関連付けられている場合、いずれか１つの動画データまたは音声データの選択を受け付ける。ステップＳ２５においては、ステップＳ２４において再生指示が受付られた動画データまたは音声データを再生する。動画データを再生する指示が受付られたならば、動画像を表示部１１４表示し、音声データを再生する指示が受付られたならば、音声をスピーカ１２０に出力させる。
【００６４】
ステップＳ２６においては、終了指示を受け付けたか否かを判断する。ユーザが操作部１１５操作して、表示部１１４に表示されている履歴一覧画面３２０を閉じる操作を入力すれば、終了指示を受け付ける。終了指示を受け付けたならば履歴管理処理を終了するが、そうでなければ処理をステップＳ２２に戻す。
【００６５】
以上説明したように本実施の形態におけるＭＦＰ１００は、ダウンロードされたＷｅｂページの画像が用紙に形成されると、Ｗｅｂページの画像が形成されたことを示す履歴データ８１がＨＤＤ１１６に記憶され、Ｗｅｂページにリンクされた動画データまたは／および音声データが履歴データと関連付けてＨＤＤ１１６に記憶される。そして、記憶された履歴データの指示が受け付けられると、指示で特定される履歴データで特定されるＷｅｂページと関連付けられた動画データまたは／および音声データが再生される。このため、Ｗｅｂページの画像が用紙に形成されると、そのＷｅｂページにリンクされた動画像データまたは音声データがＷｅｂページと関連付けて記憶されるので、Ｗｅｂページの画像を形成した時点にそれにリンクされていた動画像データまたは音声データを記憶することができる。したがって、画像が形成されたＷｅｂページにリンクされていた動画データまたは音声データを再生することができる。
【００６６】
また、Ｗｅｂページにリンクされた動画データまたは／および音声データを再生する指示が、Ｗｅｂページがダウンロードされてから用紙に画像が形成されるまでの間に再生された動画データまたは／および音声データが記憶されるので、画像が形成されたＷｅｂページにリンクされていた動画データおよび／または音声データを再び再生することができる。
【００６７】
なお、上述した実施の形態においては、画像形成装置の一例としてＭＦＰ１００について説明したが、図８および図９に示した処理をＭＦＰ１００に実行させるコンテンツ管理方法またはそのコンテンツ管理方法をＭＦＰ１００を制御するＣＰＵ１１１に実行させるためのコンテンツ管理プログラムとして発明を捉えることができるのは言うまでもない。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の実施の形態における情報処理システムの全体概要を示す図である。
【図２】ＭＦＰの外観を示す斜視図である。
【図３】ＭＦＰの回路構成の一例を示すブロック図である。
【図４】操作パネルの一例を示す平面図である。
【図５】ＣＰＵの機能の一例を示す機能ブロック図である。
【図６】Ｗｅｂページの一例を示す図である。
【図７】履歴一覧画面の一例を示す図である。
【図８】ブラウジング処理の流れの一例を示すフローチャートである。
【図９】履歴管理処理の流れの一例を示すフローチャートである。
【符号の説明】
【００７０】
１  情報処理システム、２  ネットワーク、３  インターネット、７，７Ａ  サーバ、９  操作パネル、１０  ＡＤＦ、１１  原稿給紙トレイ、２０  画像読取部、３０  画像形成部、４０  給紙部、５１  ダウンロード部、５３  出力制御部、５５  表示制御部、５７  音声制御部、５９  画像形成制御部、６１  履歴管理部、６３  再生部、６５  コンテンツ記憶部、８１  履歴データ、８３  動画データ、８５  音声データ、１０１  メイン回路、１１０  表示部、１１１  ＣＰＵ、１１２  ＲＡＭ、１１３  フラッシュメモリ、１１４  表示部、１１５  操作部、１１５Ｆ  ジョブ履歴キー、１１５Ｇ  ブラウザキー、１１６  ＨＤＤ、１１７  データ通信制御部、１１８  ＬＡＮ端子、１１９  シリアル通信インターフェース端子、１１９Ａ  メモリカード、１２０  スピーカ、１２２  ファクシミリ部、１２３  通信制御部。
【図１】
0005062006.tif 000002
【図２】
0005062006.tif 000003
【図３】
0005062006.tif 000004
【図４】
0005062006.tif 000005
【図５】
0005062006.tif 000006
【図６】
0005062006.tif 000007
【図７】
0005062006.tif 000008
【図８】
0005062006.tif 000009
【図９】
0005062006.tif 000010